(57)【要約】【課題】ユーザー認証のための手間を低減できる情報処理装置を提供する。【解決手段】情報処理装置１は、各々が対象情報を格納する複数のディレクトリを有する情報格納装置３から、当該対象情報を読み出して処理を行なう。識別情報抽出装置１７は電子マネー端末５に固有の識別情報を抽出する。電子マネー精算器１４は電子マネー端末５についての精算処理を行なう。特定部２０は電子マネー端末５に対応するディレクトリたる対応ディレクトリを、当該識別情報に基づいて特定する。処理装置１６は、精算処理が完了したときに、対応ディレクトリ内の対象情報を用いて、処理を行なう。【選択図】図１
2015197873.tif 000002
【特許請求の範囲】
【請求項１】
各々が対象情報を格納する複数のディレクトリを有する情報格納装置から、前記対象情報を読み出して処理を行なう装置であって、
電子マネー端末から、前記電子マネー端末に固有の識別情報を抽出する識別情報抽出装置と、
前記電子マネー端末についての精算処理を行なう電子マネー精算器と、
前記電子マネー端末に対応する前記ディレクトリたる対応ディレクトリを、前記識別情報に基づいて特定する特定部と、
前記精算処理が完了したときに、前記対応ディレクトリ内の前記対象情報を用いて、処理を行なう処理装置と
を備える、情報処理装置。
【請求項２】
複数の前記電子マネー端末を組分けした複数のグループのうちの一つに属する前記電子マネー端末の全てに対して、共通して前記ディレクトリの一つが対応付けられる、請求項１に記載の情報処理装置。
【請求項３】
前記対応ディレクトリを示す特定情報のビット長は、前記識別情報のビット長よりも短い、請求項１または２に記載の情報処理装置。
【請求項４】
前記対象情報は画像データであり、
前記処理装置は、前記画像データを印刷する印刷装置である、請求項１から３のいずれか一つに記載の情報処理装置。
【発明の詳細な説明】
【技術分野】
【０００１】
この発明は、情報処理装置に関する。
【背景技術】
【０００２】
従来のプリント端末（印刷サービスシステム）として、画像蓄積サーバーまたはカードメディア（例えばメモリカード等）から読み込んだ画像データを印刷するものがある（例えば特許文献１，２）。
【０００３】
特許文献１において、プリント端末で画像蓄積サーバーに蓄積された画像データを印刷するときは、プリント端末に装備されたタッチパネル等を用いて、ユーザー毎に割り振られたＩＤコードとパスワードとをユーザーが入力する。
【０００４】
また特許文献２においては、プリント端末で画像蓄積サーバーに蓄積された画像データを印刷するときは、ユーザーは、まず携帯電話機に送信されたメールの添付書類（二次元バーコード画像）を開く。そして、画像識別情報（二次元バーコード）を画像識別情報読み取り装置で読み取らせる。プリント端末は、該画像識別情報で照合された画像データをサーバーからダウンロードして印刷する。
【先行技術文献】
【特許文献】
【０００５】
【特許文献１】特開２００４−１７８３９２号公報
【特許文献２】特開２０１３−１４６９１５号公報
【発明の概要】
【発明が解決しようとする課題】
【０００６】
上記特許文献１に記載のプリント端末は、画像蓄積サーバーに蓄積された画像データをダウンロードする際に、ＩＤコードとパスワードを入力しなければならず、入力間違いが発生するという問題と、入力の手間がかかるという問題があった。
【０００７】
上記特許文献２に記載のプリント端末は、上記特許文献１に記載の印刷サービスシステムにおけるプリント端末における、ＩＤコードやパスワードの入力が不要となる。よって、プリントまでの時間の短縮化と、ＩＤコード、パスワードの誤入力防止が実現でき、画像毎のＩＤコード管理が実現できた。
【０００８】
しかしながら、画像識別情報としての二次元バーコードを生成する二次元バーコード変換装置を装備する必要があり、また、ユーザーにメールを配信するためのメールアドレス入力装置を装備する必要があった。よって、画像識別情報読み取り装置のないプリント端末では画像識別情報読み取り装置も装備する必要がありコストが増大する。また、二次元バーコードを画像識別情報読み取り装置で読み込ませるために、携帯電話機にメール配信された二次元バーコードを携帯電話機の画面上に表示させる操作が必要となり、煩雑な取扱いが必要になるという問題があった。
【０００９】
この発明は、かかる問題点を解決するためになされたものであり、ユーザー認証に要するユーザーの手間を低減できる情報処理装置を提供することを目的とする。
【課題を解決するための手段】
【００１０】
本発明にかかる情報処理装置は、各々が対象情報を格納する複数のディレクトリを有する情報格納装置から、前記対象情報を読み出して処理を行なう装置であって、電子マネー端末から、前記電子マネー端末に固有の識別情報を抽出する識別情報抽出装置と、前記電子マネー端末についての精算処理を行なう電子マネー精算器と、前記電子マネー端末に対応する前記ディレクトリたる対応ディレクトリを、前記識別情報に基づいて特定する特定部と、前記精算処理が完了したときに、前記対応ディレクトリ内の前記対象情報を用いて、処理を行なう処理装置とを備える。
【発明の効果】
【００１１】
本発明にかかる情報処理装置によれば、精算処理を行なうための電子マネー端末の識別情報に基づいて、対象情報を読み出すディレクトリが特定される。よって、ユーザー認証に要するユーザーの手間を低減できる。
【図面の簡単な説明】
【００１２】
【図１】本発明の印刷サービスシステムの概念的な構成の一例を示す構成図である。
【図２】本発明のプリント端末を用いた処理の流れの一例を示すフローチャートである。
【図３】本発明のプリント端末を用いた処理の流れの一例を示すフローチャートである。
【発明を実施するための形態】
【００１３】
図１は、本発明の実施の形態におけるサービスシステムの一例を概略的に示す構成図である。本サービスシステムは、情報処理装置の一例たるプリント端末１と、情報格納装置の一例たる画像蓄積サーバー３（以下、単にサーバーとも呼ぶ）とを備えている。プリント端末１は、通信網（例えばインターネット網）２を介してサーバー３と通信可能である。プリント端末１およびサーバー３はそれぞれインターネットＩ／Ｆ１０，３０を備える。インターネットＩ／Ｆ１０，３０はそれぞれインターネット網２とデータの送受信を行なうためのインターフェースである。
【００１４】
サーバー３はデータ蓄積部３２を備えている。データ蓄積部３２は非一時的な記憶媒体であり、例えばハードディスクなどである。データ蓄積部３２には、プリント端末１によって取得される対象情報（例えば画像データ）が蓄積されている。プリント端末１はこの対象情報をサーバー３から取得して、当該対象情報を用いた処理（ユーザーに提供するサービス）を行なう。この処理（サービス）は有料である。ここでは一例として、対象情報が画像データであり、サービスが画像データの印刷である場合について説明する。
【００１５】
データ蓄積部３２には、ディレクトリＤ１，・・・，Ｄｎ毎に１つ以上の画像データが記憶される。つまり画像データはディレクトリと対応付けられて記憶される。
【００１６】
プリント端末１はユーザーからの指示にしたがってサーバー３から画像データを取得する。ただしプリント端末１は、あるユーザーの指示に対して全てのディレクトリ内の画像データを取得するのではなく、そのユーザーに割り当てられたディレクトリのみの画像データを取得する。なお各ディレクトリは複数のユーザーに割り当てられてもよい。つまり複数のユーザーが一つのディレクトリの画像データを共有してもよい。
【００１７】
またプリント端末１は、ユーザーから料金の支払いがあったときに、取得した画像データを用いたサービス（例えば画像データの印刷）を、ユーザーに提供することができる。
【００１８】
以下では、まずプリント端末１の具体的な内部構成の一例について概説し、その後、プリント端末１の動作について説明する。
【００１９】
プリント端末１は例えば画面・音声指示部１１と、画像読取装置１２と、現金精算器１３と、電子マネー精算器１４と、入力装置１５と、処理装置（サービス提供部）たる印刷装置（以下、画像プリンターと呼ぶ）１６と、識別情報抽出装置１７と、格納部１８と、登録部１９と、特定部２０と、コントロール部２１とを備えている。
【００２０】
現金精算器１３はユーザーから投入される貨幣（紙幣または硬貨、以下では現金とも呼ぶ）を受け取る。そして、投入された現金の金額を把握して、サービスに要する料金を受け取り、その差額をユーザーへと返金することができる。つまり現金の精算処理を行なうことができる。
【００２１】
電子マネー精算器１４はユーザーが携帯する電子マネー端末５と例えば近接無線通信して、電子マネー端末５の情報を用いて精算処理を行なう。電子マネー端末５は、例えば無線機能と、固有の識別情報などを記憶する記憶媒体とを備える。電子マネー端末５は例えばカードであってもよく、電子マネー以外の機能を有する携帯情報端末（例えば携帯電話機など）であってもよい。
【００２２】
電子マネー精算器１４は電子マネー端末５からの情報を読み取る電子マネーリーダー１４２と、その情報を用いて精算処理を行なう精算処理部１４４とを有している。
【００２３】
画像読取装置１２はサーバー３から画像データを読み取ることができる。例えば画像読取装置１２は、画像データの送信を要求する要求情報と、ディレクトリを特定する特定情報とをサーバー３へと送信する。要求情報と特定情報とを受信したサーバー３は、特定情報によって示されるディレクトリ内の画像データをプリント端末１へと送信する。画像読取装置１２は当該画像データを受け取る。
【００２４】
また画像読取装置１２は、ユーザーによって持ち込まれる非一時的な記憶媒体（ＣＤ、ＤＶＤ、または、コンパクトフラッシュ（登録商標）メモリ若しくはＳＤメモリなどのメディアカード等）４からも、画像データを読み取ることができる。非一時的な記憶媒体４には予めユーザーによって画像データが格納されている。
【００２５】
画像プリンター１６は、画像読取装置１２によって読み取られた画像データの中から、ユーザーが選択した画像データを印刷する。つまりプリント端末１は、サーバー３の画像データの印刷のみならず、記憶媒体４の画像データの印刷も行なうことができる。ユーザーによる選択は入力装置１５を用いて行なわれる。図１の例示では、画像プリンター１６の一つのみが設けられているものの、複数の画像プリンターが設けられていても良い。画像プリンター１６としては、例えば昇華型プリンターまたはインクジェット型プリンターなどが採用できる。
【００２６】
なお画像プリンター１６は現金精算器１３または電子マネー精算器１４による精算処理が完了したときに、画像データの印刷を行なう。つまり画像データの印刷は有料サービスである。
【００２７】
識別情報抽出装置１７は、電子マネー端末５から読み取った情報から、電子マネー端末５に固有の識別情報を抽出する。
【００２８】
格納部１８は非一時的な記憶媒体であり、電子マネー端末５とディレクトリとを対応付けた対応関係情報が格納される。この対応関係情報は、電子マネー端末５を有するユーザーが、どのディレクトリにアクセスできるのかを示している。対応関係情報の具体例については後に詳述するものの、例えば電子マネー端末５−１〜５−ｎがそれぞれディレクトリＤ１〜Ｄｎに対応付けられる。つまり電子マネー端末５−１〜５−ｎを携帯するユーザーが、それぞれディレクトリＤ１〜Ｄｎにアクセスできる。
【００２９】
また、一つのディレクトリに対して複数の電子マネー端末５が対応付けられてもよい。例えば複数の電子マネー端末５−１ａ〜５−１ｃがディレクトリＤ１と対応付けられてもよい。これは、電子マネー端末５−１ａ〜５−１ｃを有するユーザーのいずれもが、プリント端末１を介してディレクトリＤ１にアクセス可能であることを示している。
【００３０】
特定部２０は、識別情報抽出装置１７が抽出した識別情報に対応するディレクトリを、対応関係情報を用いて特定する。特定部２０は当該ディレクトリを特定する特定情報（以下では、ディレクトリ用アドレス、または、単にアドレスとも呼ぶ）を生成する。この特定情報は上述のように、画像読取装置１２に用いられ、特定情報が示すディレクトリの画像データがサーバー３から読み出されることとなる。つまり電子マネー端末５の識別情報がユーザー認証に用いられる。
【００３１】
図１の例示では、特定部２０は変換部２０２とアドレス生成装置２０４とを備える。これらの機能は対応関係情報の具体例と共に後に詳述する。
【００３２】
登録部１９は対応関係情報を更新する。例えばサーバー３において新たなディレクトリを作成してデータ蓄積部３２に画像データを記憶する場合に、対応関係情報を更新する。登録部１９の具体的な動作についても後に詳述する。
【００３３】
画面・音声指示部１１はプリント端末１の操作に関する情報をユーザーに与える。例えば画面・音声指示部１１は画面出力部と音声出力部とを有している。画面出力部はいわゆる表示装置であって、例えば液晶モニターまたはＣＲＴ(Cathode Ray Tube)モニターなどである。音声出力部は例えばスピーカーである。画面・音声指示部１１は画面出力部および音声出力部を用いて、プリント端末１の操作に関する情報をユーザーへと伝達する。なお画面および音声のいずれか一方のみによって、当該情報をユーザーへと伝達しても構わない。
【００３４】
入力装置１５はユーザーによって操作される。入力装置１５は例えばタッチパネル、キーボードまたはマウスなどである。タッチパネル、キーボードまたはマウスは表示装置とともに入力装置を構成する。この表示装置は画面・音声指示部１１の画面出力部と兼用されてもよい。
【００３５】
ユーザーは入力装置１５を介してプリント端末１に対して種々の入力を行なうことができる。例えば印刷の対象となる画像データの選択、その枚数との選択、および、サーバー３に格納する新たな画像データの選択などを行なうことができる。
【００３６】
コントロール部２１は、上述した各機器および各部と接続されており、これらの状態を管理し、これらへの指示を行うためのハードウェアとソフトウェアからなる。
【００３７】
＜記憶媒体４の画像データの印刷、および、画像データのサーバー３への登録＞
次に、プリント端末１の動作について説明する。図２は、プリント端末１の動作を説明するための図である。図２では、ユーザーが記憶媒体４の画像データを印刷し、またその画像データをサーバー３に新たに登録する場合の、動作の流れを示している。画面・音声指示部１１は、図２に示す各ステップにおいて、ユーザーがプリント端末１に対してどのような操作を行なえばよいのかを、ユーザーに音声と画面とで指示を与える。
【００３８】
ステップＳ１において、ユーザーは画面・音声指示部１１の指示により、印刷の対象となる画像データが記録された記憶媒体４をプリント端末１（より具体的には画像読取装置１２）に挿入する。画像読取装置１２は記憶媒体４から画像データを読み取る。
【００３９】
次にステップＳ２において、ユーザーは画面・音声指示部１１の指示により、入力装置１５を用いて印刷設定を行う。具体的には、印刷の対象となる画像データと、使用する画像プリンター１６と、印刷態様（印刷紙の種類およびサイズ）と、印刷枚数とを、選択する。印刷紙の種類としては、例えば普通紙、保護層付き普通紙、シール紙などがある。また、サイズとしては、例えば葉書きサイズ（ポストサイズ）、Ｌ判、２Ｌ判などの写真店などでプリントできるサイズを選ぶことができる。
【００４０】
次にステップＳ３において、ユーザーは画面・音声指示部１１の指示により、サーバー３に登録（アップロード）する画像データを、入力装置１５を用いて選択する。この画像データは例えばステップＳ２で選択した画像データの中から選択される。
【００４１】
さらにユーザーは、印刷代金とアップロード代金を現金で支払うか電子マネーで支払うかを、入力装置１５を用いて選択する。
【００４２】
なおここでは、ユーザーは、印刷サービスとアップロードサービスとの両方を受けようとしているが、いずれか一方のみのサービスを受けてもよい。
【００４３】
次にステップＳ４において、ユーザーは画面・音声指示部１１の指示により、電子マネー端末５を電子マネーリーダー１４２に近接させる。なおこのステップＳ４は、ステップＳ３にて電子マネーでの支払いを選択した場合、または、ステップＳ３においてアップロードの画像データを選択した場合に、行なわれる。前者の場合は、電子マネーによる精算処理を行なうためである。後者の場合は、ユーザーを識別するために電子マネー端末５の識別情報を用いるからである。
【００４４】
電子マネー端末５を電子マネーリーダー１４２に近接させると、電子マネーリーダー１４２は例えば近接無線通信により、電子マネー端末５から情報を読み取る。電子マネーリーダー１４２は既に市場に流通しているＦｅｌｉｃａ（登録商標）やＭＩＦＡＲＥ（登録商標）といった非接触型方式のリーダーからなる。
【００４５】
次にステップＳ５において、識別情報抽出装置１７は、電子マネーリーダー１４２によって読み出された情報を解読し、電子マネー端末５に固有の識別情報を抽出する。なお、既に市場にはＥｄｙ（登録商標）、Ｓｕｉｃａ（登録商標）またはＰＩＴＡＰＡ（登録商標）などの各方式に準拠した電子マネーが流通している。各方式によって、データの暗号化やデータの配列は違っており、またその内容については非公開である。よってここでは、その解読手法についての説明は省略する。
【００４６】
電子マネーリーダー１４２によって読み出された情報（解読された情報）は、書き換え可能データと書き換え不可データとに分けられる。書き換え可能データとしては、例えば金額に相当するパラメータなどが挙げられる。書き換え不可データとしては、電子マネー端末５に固有の識別情報などが挙げられる。なお各方式によって、識別情報の配列および情報量も異なる。
【００４７】
ここでは、電子マネーリーダー１４２によって読み出された情報が、例えば１６進数で「１２３４５６ＡＢＣＤＥＦ００００００００００００００００１１１１１１１１」であり、そのうち「１２３４５６ＡＢＣＤＥＦ」が識別情報を示すものとする。識別情報抽出装置１７は、この「１２３４５６ＡＢＣＤＥＦ」を抽出する。
【００４８】
次にステップＳ８において、登録部１９は識別情報に基づいてアドレスを作成する。例えば識別情報をそのままアドレスとして採用しても良いものの、ここではビット長を短くしてアドレスを生成することを企図する。
【００４９】
識別情報は例えば電子マネー端末５の方式を区別する種別情報と、電子マネー端末５の識別番号ＩＤとを含んでいる。例えば識別情報のうち「１２３４５６」が種別情報を示し、「ＡＢＣＤＥＦ」が識別番号ＩＤを示す。識別番号ＩＤは各方式において電子マネー端末５を識別する。よって異なる方式同士では、識別番号ＩＤが同じになり得る。
【００５０】
ここでは種別情報が「１２３４５６」であるので、１６の６乗の種類を表現できる。しかるに、電子マネーの方式の種類は数種類〜数十種類である。よって種別情報に相当するデータ長（ビット長）を短縮して採用する。例えば電子マネー精算器１４が対応可能な方式が８種類である場合には、各方式に応じて種別対応数字「０」〜「７」を付与する。そして、登録部１９はこの種別対応数字に続いて識別番号ＩＤを連結したデータを、アドレスとして生成する。例えば種別情報「１２３４５６」に対応する種別対応数字が「０」である場合には、アドレスは「０ＡＢＣＤＥＦ」となる。
【００５１】
この種別情報に対応した種別対応数字は、予め記憶部（例えば格納部１８）に格納される。表１は電子マネー端末５の方式を簡易的に「種別１」〜「種別８」で示し、その各々に対応した種別対応数字が示されている。なお記憶部には、種別情報と種別対応数字が対応付けられて記憶される。
【００５２】
【表１】
2015197873.tif 000003
【００５３】
表１では電子マネー端末５の方式を８種類まで対応しているが、将来的に電子マネー端末５の方式が増えることを想定して、種別対応数字を１６種類、３２種類、６４種類というように指数関数的に増やしてもよい。
【００５４】
また上述のように、種別対応数字のビット長を種別情報よりも短くするので、アドレスのビット長を識別情報よりも短くできる。このアドレスは画像読取装置１２によってサーバー３へと送信されるところ、アドレスのビット長を短縮することは、通信量の低減に資する。
【００５５】
ステップＳ３において、ユーザーが電子マネーでの支払いを選択した場合は、ステップＳ６において、電子マネー精算器１４（より詳細には精算処理部１４４）が電子マネーの精算処理を実施する。電子マネーの精算方法は各方式によって異なるが、一般的には不図示の電子マネーサーバーと通信を行ってユーザーの銀行口座からサービスに応じた料金分を引き去り、あるいは、電子マネー端末５に記録された金額に相当するパラメータからサービスに応じた料金分を引き去る。電子マネー精算器１４は電子マネーの方式に応じた精算処理を実行する。
【００５６】
他方、ステップＳ３にて現金での支払いを選択した場合には、ステップＳ７において、ユーザーは現金精算器１３に現金を投入する。現金精算器１３は現金での精算処理を行なう。
【００５７】
ステップＳ６またはステップＳ７の動作と、ステップＳ８の動作とは、いずれを先に行なってもよく、或いは並行して行なってもよい。またステップＳ７の動作は、ステップＳ３の直後から行なうことができる。
【００５８】
ステップＳ９において、ステップＳ６の電子マネーの精算処理、またはステップＳ７の現金の精算処理が完了すると、ステップＳ１０，Ｓ１１の処理とステップＳ１２，Ｓ１３の処理とを並行して行なう。ステップＳ１０においては、ステップＳ２の印刷設定に基づいて画像プリンター１６が画像データの印刷を行う。次にステップＳ１１においてユーザーは印刷物を受け取る。
【００５９】
ステップＳ１２においては、画面・音声指示部１１は、ディレクトリ内の画像データを共有すべき他のユーザー（以下、共有者とも呼ぶ）が居れば、共有者の電子マネー端末５を電子マネーリーダー１４２に近接させるように促す。以下では、ステップＳ１において画像データを供給するユーザーを、共有者と区別して画像主とも呼ぶ。
【００６０】
そして共有者が自身の電子マネー端末５を電子マネーリーダー１４２に近接させると、電子マネーリーダー１４２が情報を読み取り、識別情報抽出装置１７が識別情報を抽出する。画面・音声指示部１１は他の共有者に対しても同じ動作を促す。そして、全ての共有者が順次に電子マネー端末５を電子マネーリーダー１４２に近接させる。これにより、全ての共有者の電子マネー端末５の識別情報が抽出される。
【００６１】
登録部１９は、これらの識別情報に対して一つのディレクトリを共通して割り当てるべく、格納部１８の対応関係情報を更新する。対応関係情報の具体例については、後に詳述する。
【００６２】
次にステップＳ１３において、登録部１９は、アドレスと画像データとをサーバー３へと送信する。サーバー３は、受け取ったアドレスのディレクトリが存在していれば、そのディレクトリに画像データを追加してデータ蓄積部３２に記録し、ディレクトリが存在していなければ新たにディレクトリを生成し、そのディレクトリに画像データを追加してデータ蓄積部３２に記録する。これにより、画像データをサーバー３に登録（アップロード）することができる。
【００６３】
＜サーバー３の画像データのプリント＞
図３は、サーバー３に登録された画像データを印刷する流れの一例を示している。まずステップＳ２０にて、ユーザーは画面・音声指示部１１の指示により、電子マネー端末５を電子マネーリーダー１４２に近接させる。電子マネーリーダー１４２は電子マネー端末５から情報を読み出す。
【００６４】
次にステップＳ２１にて、識別情報抽出装置１７は当該情報から識別情報を抽出する。
【００６５】
次にステップＳ２２にて、特定部２０は、識別情報抽出装置１７によって抽出された識別情報と、格納部１８に格納された対応関係情報とに基づいて、ユーザーがアクセス可能なディレクトリを特定する。以下、対応関係情報と、特定部２０に属する変換部２０２とアドレス生成装置２０４とについて説明する。
【００６６】
表２は対応関係情報の一例を示す。この対応関係情報は、ユーザーＵａ〜Ｕｆがそれぞれ携帯する電子マネー端末５ａ〜５ｆの識別情報と、アドレス生成装置２０４に入力する入力情報とを含んでいる。
【００６７】
【表２】
2015197873.tif 000004
【００６８】
表２ではユーザーＵａ〜Ｕｆも示されているが、対応関係情報はこのユーザーについての情報を有していなくても良い。変換部２０２は、識別情報抽出装置１７によって抽出された識別情報を、この対応関係情報に基づいて入力情報に変換する。アドレス生成装置２０４は入力情報に基づいてステップＳ８と同じ処理を行なってアドレスを生成する。よって入力情報が同じである場合には、アドレスも同じである。
【００６９】
表２の例示では、対応関係情報は、ユーザーＵａ〜Ｕｃに対して共通の入力情報を有し、ユーザーＵｄ，Ｕｅに対して共通の入力情報を有し、ユーザーＵｆに対して一つの入力情報を有する。ユーザーＵａ〜Ｕｃについての入力情報と、ユーザーＵｄ，Ｕｅについての入力情報と、ユーザーＵｆについての入力情報とは互いに異なる。
【００７０】
よって、電子マネー端末５ａ〜５ｃのいずれを用いても、同じ入力情報がアドレス生成装置２０４に入力される。したがってアドレス生成装置２０４は、電子マネー端末５ａ〜５ｃに対して同じディレクトリ示すアドレス（例えば「０ＡＢＣＤＥＦ」）を生成することとなる。つまり、ユーザーＵａ〜Ｕｃのいずれもが、ある一つの第１ディレクトリにアクセス可能である。同様に、ユーザーＵｄ，Ｕｅのいずれもが他の一つの第２ディレクトリにアクセス可能であり、ユーザーＵｆは他の一つの第３ディレクトリにアクセス可能である。
【００７１】
表２の例示では、一つのディレクトリを共有する複数の電子マネー端末５についての入力情報としては、当該複数の電子マネー端末５のうちいずれかの識別情報を採用する。例えばユーザーＵａ〜Ｕｃについての入力情報は、画像主たるユーザーＵａが携帯する電子マネー端末５ａの識別情報である。ユーザーＵｄ，Ｕｅについても同様である。
【００７２】
上述のように入力情報に対して一義的にアドレスが決定されるので、対応関係情報は、電子マネー端末５とディレクトリとの対応関係を示す情報と把握できる。また、表２の例示では、複数のユーザーに対して共通のアドレスが割り当てられる。言い換えれば、この対応関係情報において、複数の電子マネー端末５を組分けした複数のグループの一つに属する電子マネー端末５に対して、共通して一つのディレクトリが対応付けられている。
【００７３】
次にステップＳ２３にて、画像読取装置１２は、アドレス生成装置２０４によって生成されたアドレスをサーバー３に送信して、当該アドレスによって示されるディレクトリがサーバー３に存在しているか否かの情報を要求する。
【００７４】
サーバー３はプリント端末１から当該アドレスと当該要求とを受け取る。サーバー３は当該アドレスによって示されるディレクトリが存在しているか否かを確認し、その結果をプリント端末１へと送信する。
【００７５】
当該ディレクトリが存在しない場合は、ステップＳ２５にて、プリント端末１は、例えば利用可能な画像データが登録されていないことをユーザーに示した上で、処理を終了する。このときプリント端末１は表示画面を初期画面に移行するとよい。
【００７６】
当該ディレクトリが存在する場合は、ステップＳ２４にて、画像読取装置１２は当該ディレクトリ内の画像データをサーバー３に対して要求する。この要求を受け取ったサーバー３はプリント端末１へと、当該ディレクトリ内の画像データを送信する。例えばサーバー３はディレクトリ内の画像データの全てを送信する。
【００７７】
次にステップＳ２６にて、画像読取装置１２は画像データを受け取る。画面・音声指示部１１はこの画像データを全て表示するとともに、ユーザーに対して印刷設定を促す。ユーザーは入力装置１５を介して印刷設定を行なう。すなわち、印刷の対象となる画像データと、使用する画像プリンター１６と、印刷態様と、印刷枚数とを、選択する。
【００７８】
ステップＳ２６〜Ｓ３６の動作は、ステップＳ３〜Ｓ１３と同じであるので、繰り返しの説明を避ける。
【００７９】
以上のように、本実施の形態によれば、電子マネー端末５に固有の識別情報をサーバー３のディレクトリと対応付けた上で、サーバー３の当該ディレクトリ内に画像データを登録する。そして、登録した画像データを再び印刷する際には、ユーザーは電子マネー端末５の情報を電子マネーリーダー１４２に読み取らせることにより、プリント端末１を介して、その識別情報に対応したディレクトリ内の画像データにアクセスする。
【００８０】
よって、ユーザー認証のためのユーザーＩＤやパスワードの入力（バーコードまたは二次元バーコードによる入力を含む）を要することなく、印刷物を出力することができる。また、ユーザー認証専用の端末（例えばカード、二次元コードなど）を要さないので、ユーザーが携帯する端末の数を低減できる。
【００８１】
しかも対応関係情報では、複数の電子マネー端末５を組分けした複数のグループの一つに属する電子マネー端末５に対して、共通して一つのディレクトリを対応付けている。これにより、簡単に複数のユーザー間で画像データを共有することができる。
【００８２】
なお上述したように、登録部１９は識別情報を用いてアドレスを生成し、特定部２０（より具体的にはアドレス生成装置２０４）も識別情報を用いてアドレスを生成する。しかもこれらアドレスの生成方法は同じである。よって、登録部１９はアドレス生成装置２０４を用いてアドレスを生成してもよい。
【００８３】
なお、本発明は、その発明の範囲内において、実施の形態を適宜、変形、省略することが可能である。
【符号の説明】
【００８４】
１  プリント端末、１４  電子メール精算器、１６、画像プリンター、１７  識別情報抽出部、２０  特定部。
【図１】
2015197873.tif 000005
【図２】
2015197873.tif 000006
【図３】
2015197873.tif 000007